(57)【特許請求の範囲】
【請求項１】
チップ本体に、ボール抱持室と、該ボール抱持室の底壁の中央に形成したインキ流通孔と、該インキ流通孔から放射状に延びる複数本のインキ流通溝とを有し、チップ先端部を内側に、かしめることにより、ボールの一部をチップ先端縁より突出させて回転自在に抱持した、ステンレス鋼材からなるボールペンチップを、インキ収容筒の先端に直接、またはチップホルダーを介して装着し、前記インキ収容筒の内部に少なくとも着色剤として染料と顔料を併用し、前記染料がアルキルベンゼンスルホン酸と塩基性染料との造塩染料で、前記顔料が平均粒子径３００ nm以下であるカーボンブラックであり、２０℃、剪断速度５００ｓｅｃ−１におけるインキ粘度が、１０〜５０００ｍＰａ・ｓである油性ボールペン用インキを直接、収容してなるボールペンレフィルであって、０〜１００ｍ時点のインキ消費量Ａｍｇと、インキ終了前、１００ｍのインキ消費量Ｂｍｇとしたとき、０．８≦Ａ／Ｂ≦１．２を満足し、前記ボールの軸方向の移動量が、３〜１５μｍであり、
前記ボールを、コイルスプリングにより直接又は押圧体を介してチップ先端縁の内壁に押圧して、筆記時の押圧力によりチップ先端縁の内壁とボールに間隙を与えインキを流出させる弁機構を具備してあることを特徴とするボールペンレフィル。
【請求項２】
前記染料が、アルキルベンゼンスルホン酸とキサンテン系塩基性染料、アルキルベンゼンスルホン酸とトリアリルメタン系塩基性染料、アルキルベンゼンスルホン酸とアゾメチン系塩基性染料との造塩染料の中からいずれか１種以上の造塩染料を選択し、含有することを特徴とする請求項１に記載のボールペンレフィル。
【請求項３】
前記アルキルベンゼンスルホン酸が、ドデシルジフェニルオキシドスルホン酸であることを特徴とする請求項１または２に記載のボールペンレフィル。
【請求項４】
前記カーボンブラックが、塩基性カーボンブラックであることを特徴とする請求項１ないし３のいずれか１項に記載のボールペンレフィル。
【請求項５】
前記油性ボールペン用インキ組成物のpHが７〜１０であることを特徴とする請求項１ないし４のいずれか１項に記載のボールペンレフィル。 
【請求項６】
前記油性ボールペン用インキ組成物に、アルコール系有機溶剤を含有することを特徴とする請求項１ないし５のいずれか１項に記載のボールペンレフィル。
【請求項７】
前記インキ収容筒内に、請求項１ないし６のいずれか１項に記載の油性ボールペン用インキ組成物を直に収容してなるボールペンレフィルであって、前記ボール抱持室の底壁には、前記ボールの曲率とは異なる曲率の曲面状の当接面が設けられており、前記ボールは当該当接面の一部である当接部に対して当接するようになっており、前記ボールと前記当接面との間に、インキ流通孔側から前記当接部までインキ流通孔側から除々に小さくなる第１の隙間が形成されていると共に、インキ流通溝の先端側から前記当接部までインキ流通溝の先端側から除々に小さくなる第２の隙間が形成してあることを特徴とする油性ボールペンレフィル。
【請求項８】
前記ボールの表面に、前記当接面の表面に、潤滑被膜層が設けられていることを特徴とする請求項１ないし７のいずれか１項に記載のボールペンレフィル。
【発明の詳細な説明】
【技術分野】
【０００１】
本発明はボールペンレフィルに関し、さらに詳細としては、インキ収容筒の先端に、ステンレス鋼材からなるボールペンチップを直接又はチップホルダーを介して装着してなるボールペンレフィルに関する。 
【背景技術】
【０００２】
従来からインキ収容筒の先端に、ステンレス鋼材からなるボールペンチップを直接又はチップホルダーを介して装着してなるボールペンレフィルはよく知られて、特開２００１−３０１３７８号公報「ボールペンチップ」等に開示されている。尚、ステンレス鋼材は、耐摩耗性が良好であるため、ボールペンチップとして好適に用いられている材料である。 
【０００３】
しかし、ステンレス鋼材からなるボールペンチップを用いたボールペンレフィルであっても、筆記によるボールの回転によって、チップ本体が摩耗する問題があった。チップ本体が摩耗すると、チップ内でのボールの軸方向での移動量、いわゆるクリアランスが大きくなる。 
【０００４】
前述のように、筆記によるボールの回転によってチップ本体の摩耗が進行して、クリアランスが大きくなると、インキ垂れ下がり、チップ内が乾燥し易くなることにより書き出し性の悪化等の様々な問題が生じる。 
【０００５】
こうした摩耗を抑制するには、特開平６−２４８２１７号公報「ボールペン用インキ組成物」、特開平９−１５１３５４号公報「油性ボールペン用インキ組成物」等に開示されているように、インキ収容筒に充填するボールペン用インキに、フッ素系界面活性剤、シリコン系界面活性剤等、様々な界面活性剤を用いることで、潤滑性を高め、ボールとチップ本体との回転抵抗を低減することが考えられる。 
【０００６】
また、油性ボールペン用インキ組成物に、様々な着色剤を用いているが、トリアリールメタン系塩基性染料とアゾ系黄色酸性染料の造塩染料を用いたものとしては、特開平９−１６５５４２号公報「油性黒色インキ」、特開平９−７１７４５号公報「油性黒色インキ」等に、濃い筆跡にするための試みが考えられている。 
【先行技術文献】
【特許文献】
【０００７】
【特許文献１】「特開２００１−３０１３７８号公報」
【特許文献２】「特開平６−２４８２１７号公報」
【特許文献３】「特開平９−１５１３５４号公報」
【特許文献４】「特開平９−１６５５４２号公報」
【特許文献５】「特開平９−７１７４５号公報」
【発明の概要】
【発明が解決しようとする課題】
【０００８】
しかし、特許文献２、３のような各種の界面活性剤を用いた場合、ある程度書き味を向上することが可能であるが、ボール座及びチップの摩耗を抑制する効果としては、十分満足できなかった。さらに、界面活性剤を用いることで、界面活性剤と染料が反応し析出物が発生することもあり、懸念される問題があった。 
【０００９】
また、特許文献４、５では、着色剤として、トリアリルメタン系塩基性染料とアゾ系黄色酸性染料の造塩染料を用いた場合、長期間の経時によって造塩染料の一部が崩れ、析出物の発生や、書き味が劣ってしまう問題があった。 
【００１０】
また、２０℃、剪断速度５００ｓｅｃ−１におけるインキ粘度が、５０００ｍＰａ・ｓのインキを用いた場合には、摩耗によって、前述した垂れ下がりのみならず、インキ消費量も大きく増加してしまう問題がある。インキ消費量が増大すると、筆跡の耐擦過性等が劣化して紙面を汚すなどの、あらたな課題が発生する。 
【００１１】
本発明の目的は、インキ経時が安定し、書き味が良好で、かつ、潤滑性を保ち、チップ本体が摩耗し難く、筆記開始からインキ終了時まで、インキ消費量が安定しているボールペンレフィルを提供することである。 
【課題を解決するための手段】
【００１２】
本発明は、上記課題を解決するために、
「１．チップ本体に、ボール抱持室と、該ボール抱持室の底壁の中央に形成したインキ流通孔と、該インキ流通孔から放射状に延びる複数本のインキ流通溝とを有し、チップ先端部を内側に、かしめることにより、ボールの一部をチップ先端縁より突出させて回転自在に抱持した、ステンレス鋼材からなるボールペンチップを、インキ収容筒の先端に直接、またはチップホルダーを介して装着し、前記インキ収容筒の内部に少なくとも着色剤として染料と顔料を併用し、前記染料がアルキルベンゼンスルホン酸と塩基性染料との造塩染料で、前記顔料が平均粒子径３００ nm以下であるカーボンブラックであり、２０℃、剪断速度５００ｓｅｃ−１におけるインキ粘度が、１０〜５０００ｍＰａ・ｓである油性ボールペン用インキを直接、収容してなるボールペンレフィルであって、０〜１００ｍ時点のインキ消費量Ａｍｇと、インキ終了前、１００ｍのインキ消費量Ｂｍｇとしたとき、０．８≦Ａ／Ｂ≦１．２を満足し、前記ボールの軸方向の移動量が、３〜１５μｍであり、
前記ボールを、コイルスプリングにより直接又は押圧体を介してチップ先端縁の内壁に押圧して、筆記時の押圧力によりチップ先端縁の内壁とボールに間隙を与えインキを流出させる弁機構を具備してあることを特徴とするボールペンレフィル。
２．前記染料が、アルキルベンゼンスルホン酸とキサンテン系塩基性染料、アルキルベンゼンスルホン酸とトリアリルメタン系塩基性染料、アルキルベンゼンスルホン酸とアゾメチン系塩基性染料との造塩染料の中からいずれか１種以上の造塩染料を選択し、含有することを特徴とする第１項に記載のボールペンレフィル。
３．前記アルキルベンゼンスルホン酸が、ドデシルジフェニルオキシドスルホン酸であることを特徴とする第１項または第２項に記載のボールペンレフィル。
４．前記カーボンブラックが、塩基性カーボンブラックであることを特徴とする第１項ないし第３項のいずれか１項に記載のボールペンレフィル。
５．前記油性ボールペン用インキ組成物のpHが７〜１０であることを特徴とする第１項ないし第４項のいずれか１項に記載のボールペンレフィル
６．前記油性ボールペン用インキ組成物に、アルコール系有機溶剤を含有することを特徴とする第１項ないし第５項のいずれか１項に記載のボールペンレフィル。
７．前記インキ収容筒内に、第１項ないし第６項のいずれか１項に記載の油性ボールペン用インキ組成物を直に収容してなるボールペンレフィルであって、前記ボール抱持室の底壁には、前記ボールの曲率とは異なる曲率の曲面状の当接面が設けられており、前記ボールは当該当接面の一部である当接部に対して当接するようになっており、前記ボールと前記当接面との間に、インキ流通孔側から前記当接部までインキ流通孔側から除々に小さくなる第１の隙間が形成されていると共に、インキ流通溝の先端側から前記当接部までインキ流通溝の先端側から除々に小さくなる第２の隙間が形成してあることを特徴とする油性ボールペンレフィル。
８．前記ボールの表面に、前記当接面の表面に、潤滑被膜層が設けられていることを特徴とする第１項ないし第７項のいずれか１項に記載のボールペンレフィル。」とする。 
【発明の効果】
【００１３】
本発明は、染料、カーボンブラックがインキ中で安定し、書き味が良好で、かつ、チップ本体が摩耗し難く、筆記開始からインキ終了時まで、インキ消費量が安定しているボールペンレフィルを提供することができた。 
【図面の簡単な説明】
【００１４】
【図１】実施例１のボールペンチップを示す縦断面図である。
【図２】実施例１のボールペンチップを示す一部省略した要部拡大縦断面図である。
【図３】実施例１のボールペンチップを用いたボールペンレフィルを示す図である。
【発明を実施するための形態】
【００１５】
本発明の第１の特徴は、チップ本体に、ボール抱持室と、該ボール抱持室の底壁の中央に形成したインキ流通孔と、該インキ流通孔から放射状に延びる複数本のインキ流通溝とを有し、チップ先端部を内側にかしめることにより、ボールの一部をチップ先端縁より突出させて回転自在に抱持した、ステンレス鋼材からなるボールペンチップを、インキ収容筒の先端に直接、またはチップホルダーを介して装着し、前記インキ収容筒の内部に、少なくとも着色剤として染料と顔料を併用し、前記染料がアルキルベンゼンスルホン酸と塩基性染料との造塩染料と、前記顔料がカーボンブラックである油性インキ組成物とすることで、インキ経時が安定し、書き味が良好で、かつ、チップ本体が摩耗し難くすることが可能となる。 
【００１６】
ステンレス鋼材は、真鍮等の銅合金に比べ耐摩耗性が良好であるが、ボールペン用インキの潤滑性を高め、さらにチップ本体の摩耗を低減することが重要となる。そのため、本発明では、油性ボールペン用インキに、着色剤として、アルキルベンゼンスルホン酸と塩基性染料との造塩染料と、カーボンブラックと、を併用することが重要である。
【００１７】
本発明で用いるアルキルベンゼンスルホン酸と塩基性染料との造塩染料については、キサンテン系、トリアリルメタン系、アゾメチン系、アゾ系、アントラキノン系、オキサジン系などの塩基性染料をアルキルベンゼンスルホン酸とを中和反応させて、 アルキルベンゼンスルホン酸と塩基性染料間のイオン結合力が強い造塩染料とすることで、油性インキ中において、様々な環境下や長期間インキ経時安定性が保つことが可能である。
【００１８】
また、前記造塩染料は、着色剤の効果としてだけではなく、同時に、前記造塩染料が有する、フェニルスルホン基やフェニル基が、 金属に吸着し易い潤滑膜を形成することで、ボールとチップ本体間の金属接触を抑制する効果があり、潤滑性を向上して、書き味が良好で、かつ、ボール座の摩耗を抑制するものと推測する。そのため、前記造塩染料は、従来とは異なり、着色剤と潤滑剤との効果を併せ持つことが可能となる。そのため、前記造塩染料は、従来とは異なり、着色剤と潤滑剤との効果を併せ持つことが可能となる。さらに、前記アルキルベンゼンスルホン酸と塩基性染料との造塩染料によって形成された潤滑膜は、ステンレス鋼材の表面の酸化皮膜を覆うことで保護し、酸化皮膜の劣化を抑制することで、ボールペンチップの耐食性等、経時安定性をも向上させる効果が得られると推測する。 
【００１９】
しかし、前記造塩染料を単独で用いるだけでは、筆跡の耐光性が弱いため、カーボンブラックを併用することで耐光性を向上することが可能となる。また、カーボンブラックを用いることで、ボールとチップ本体の隙間にカーボンブラック粒子が入り込むことで、金属接触を抑制することで、潤滑性を向上することが可能である。さらに、上述のように、前記造塩染料のフェニルスルホン基やフェニル基によって潤滑層を形成するが、前記造塩染料による潤滑層とカーボンブラック粒子との相互作用で、より金属接触を抑制する潤滑膜を形成することで、潤滑性を向上し、書き味を向上することが可能となる。そのため、従来とは異なり、着色剤と潤滑剤との効果を併せ持つことが可能となり、前記造塩染料とカーボンブラックを併用することが必要である。
【００２０】
本発明の第２の特徴は、０〜１００ｍ時点のインキ消費量Ａｍｇと、インキ終了前、１００ｍのインキ消費量Ｂｍｇとしたとき、０．８≦Ａ／Ｂ≦１．２とすることである。 
【００２１】
これは、筆記開始からインキ終了時まで安定した筆記性能を得ることも、ボールペンレフィルの重要な課題であるためである。本発明に用いる油性ボールペン用インキのインキ粘度は、２０℃、剪断速度５００ｓｅｃ−１におけるインキ粘度が１０〜５０００ｍＰａ・ｓと従来の油性ボールペン用インキ、２０℃、剪断速度５００ｓｅｃ−１におけるインキ粘度が約１００００〜２００００ｍＰａ・ｓよりも低い粘度とし、アルキルベンゼンスルホン酸と塩基性染料との造塩染料と、カーボンブラックとを併用することで、さらなる潤滑性を高め、書き味を向上するものである。しかし、低粘度であるが故に、Ａ／Ｂ＞１．２では、耐擦過性の劣化及び総筆記距離が短縮し、Ａ／Ｂ＜０．８０では、筆跡濃度および書き味などの筆記性能が低下するため、０〜１００ｍ時点のインキ消費量Ａｍｇと、インキ終了前、１００ｍのインキ消費量Ｂｍｇとしたとき、０．８≦Ａ／Ｂ≦１．２とし、筆記開始からインキ終了時まで、インキ消費量を前記した範囲に維持することが重要であり、より筆記性能の影響を考慮すれば、０．９≦Ａ／Ｂ≦１．１５とすることが好ましい。
【００２２】
ところで、０〜１００ｍ時点のインキ消費量Ａｍｇと、インキ終了前、１００ｍのインキ消費量Ｂｍｇとしたとき、０．８≦Ａ／Ｂ≦１．２とするには、チップ本体の摩耗を抑制することが最も重要な要因である。但し、単にチップ本体の摩耗を抑制しただけでは、筆記開始からインキ終了時まで安定した筆記性能を得ることはできない。本願発明は、前述のように、着色剤として、前記アルキルベンゼンスルホン酸と塩基性染料との造塩染料、カーボンブラックを併用することで、ボールとチップ本体間の潤滑性を向上してチップ本体の摩耗を抑制し、且つ酸化皮膜の劣化を抑制することで、ボールペンチップの耐食性等、チップ本体内の経時安定性を向上するため、筆記開始からインキ終了時まで、インキの流れをスムーズに維持することで、インキ消費量及び筆記性能を安定することができるものである。
【００２３】
尚、本発明の油性ボールペン用インキのインキ粘度は、２０℃、剪断速度５００ｓｅｃ−１におけるインキ粘度が１０ｍＰａ・ｓ未満の場合には、カーボンブラックの分散性や筆跡に滲みやインキ垂れ下がりの影響が出やすく、また、２０℃、剪断速度５００ｓｅｃ−１におけるインキ粘度が５０００ｍＰａ・ｓを超えると、筆記時のボール回転抵抗が大きくなり、潤滑性に影響して、書き味が重くなる傾向がある。そのため、２０℃、剪断速度５００ｓｅｃ−１におけるインキ粘度を、１０〜５０００ｍＰａ・ｓが好ましい。より好ましくは、カーボンブラックの分散性や潤滑性を考慮すれば、５０〜４０００ｍＰａ・ｓであり、最も考慮すれば、１００〜３０００ｍＰａ・ｓである。
【００２４】
また、本発明に用いるボールペンチップのボールの軸方向の移動量が、３μｍ〜１５μｍである方が好ましい。３μｍ未満であると、インキ消費量が少なくなり易いため、筆跡カスレなど筆跡不良の原因となり、１５μｍを越えると、インキ消費量が安定して供給しづらくなり、０．８≦Ａ／Ｂ≦１．２を満足できにくい傾向となる。
【００２５】
また、前記造塩染料の中でも、インキ中で 長期間インキ経時安定することを考慮すれば、アルキルベンゼンスルホン酸とキサンテン系塩基性染料、アルキルベンゼンスルホン酸とトリアリルメタン系塩基性染料、アルキルベンゼンスルホン酸とアゾメチン系塩基性染料との造塩染料の中からいずれか１種以上の造塩染料を選択することが好ましい。また、これらの前記造塩染料は、２種類以上の造塩染料を併用しても良く、潤滑性を考慮すれば、２種類以上の造塩染料を併用する方が好ましい。さらに、より考慮すれば、３種類の造塩染料を併用する方が最も好ましい。
【００２６】
また、前記アルキルベンゼンスルホン酸と塩基性染料との造塩染料の含有量は、インキ組成物全量に対し、０．１質量％より少ないと、所望の潤滑性が得られづらく、４０．０質量％を越えると、インキ経時が不安定性になりやすいため、インキ組成物全量に対し、０．１〜４０．０質量％が好ましい。より好ましくは、インキ組成物全量に対し、３．０〜３０．０質量％であり、最も好ましくは、１０．０〜３０．０質量％である。
【００２７】
また、アルキルベンゼンスルホン酸としては、ドデシルジフェニルオキシドスルホン酸、ドデシルベンゼンスルホン酸などが挙げられるが、潤滑性を向上することを考慮すれば、スルホ基(-SO３ H)が多いドデシルジフェニルオキシドジスルホン酸が好ましい。
【００２８】
また、カーボンブラックについては、チップ内部の隙間関係を考慮し、平均粒子径は、３００ nm以下が好ましい。より好ましくは、１５０nm以下である。ここで、平均粒子径とは、粒度分布計による平均粒子径ｄ50のことである。カーボンブラックの含有量は、インキ組成物全量に対し、０．５〜１５．０質量％が好ましい。これは０．５質量％未満だと、潤滑効果が得られにくい傾向があり、１５．０質量％を越えると、インキ中で凝集しやすい傾向があるためであり、よりその傾向を考慮すれば、１．０〜１０．０質量％が好ましく、最も好ましくは、２．０〜７．０質量％である。
【００２９】
また、顔料分散剤については、ポリビニルブチラール樹脂、ポリアセタール樹脂、ポリビニルアルコール樹脂、セルロース樹脂、ポリビニルピロリドン等が例示でき、これらを１種又は２種以上用いることができる。本発明のように、２０℃、剪断速度５００ｓｅｃ−１におけるインキ粘度が５０００ｍＰａ・ｓ以下である油性インキ組成物の場合、ポリビニルブチラール樹脂が好ましいが、これは、有機溶剤中に速やかに微細に分散しやすく、さらにポリビニルブチラール樹脂が、カーボンブラックに吸着することで、長期間カーボンブラックの分散を維持しやすいためである。特に、ポリビニルブチラール樹脂との分散性を考慮すれば、塩基性カーボンブラックが好ましい。ここで、塩基性カーボンブラックとは、カーボンブラック粒子をｐＨ７のイオン交換水に分散し、ｐＨメーターにて２５℃のｐＨを測定したｐＨ値が７以上を塩基性カーボンブラックと定義する。より顔料分散性を考慮すれば、ｐＨ値が７〜１０の塩基性カーボンブラックが最も好ましい。
【００３０】
また、ポリブチラール樹脂は、ポリビニルアルコール(PVA) をブチルアルデヒド (BA)と反応させたものであり、ポリビニルブチラール樹脂は、分子中の 水酸基が、２０〜４０ｍｏｌ％が好ましい。これは、２０ｍｏｌ％未満だと、アルコール系の有機溶剤に溶解しづらい傾向があり、４０ｍｏｌ％を越えると耐水性が劣りやすい傾向があるためであり、さらに、より好ましくは、３０〜４０ｍｏｌ％が好ましい。また、有機溶剤に溶解性を考慮すれば、分子量が１０００００以下である方が好ましく、より考慮すれば、３００００以下である方がより好ましい。
【００３１】
前記顔料分散剤の含有量は、０．１質量％より少ないと、顔料分散性が劣りやすく、２０．０質量％を越えると、インキ中で溶解性が劣りやすく、インキ粘度も高くなりやすいため、インキ組成物全量に対し、１．０〜２０．０質量％が好ましく、より考慮すれば、３．０〜１０．０質量％が好ましい。 
【００３２】
さらに、本発明のように油性ボールペン用インキ組成物に新たに前記アルキルベンゼンスルホン酸と塩基性染料との造塩染料とカーボンブラックを併用する場合に、インキ経時安定性を保つには、製造時や経時による吸湿等によって、油性インキ中に水を含有するため、ｐＨ値についても着目する方が好ましい。尚、本発明において、ｐＨ値が３．９以下を強酸性領域、ｐＨ値が１０．１以上を強アルカリ領域、ｐＨ４．０〜１０．０を強酸性領域と強アルカリ領域の中間領域（弱酸性、中性、弱アルカリ性）とする。
【００３３】
本発明の油性ボールペン用インキ組成物のｐＨは、経時安定性を考慮して、ｐＨ値が７．０〜１０．０が好ましい。特に、カーボンブラックとして、塩基性カーボンブラックを用いる場合、ｐＨ値が７．０〜１０．０が好ましい。これは、ｐＨ値７以上であると、塩基性カーボンブラックの分散性を向上するためで、ｐＨ値が１０．１以上であると、前記造塩染料のイオン結合が離れやすくなるため、インキ経時安定性や、色調に影響が出やすい傾向があるためである。さらに、よりインキ経時安定性を考慮すれば、ｐＨ値が７．０〜９．０が好ましい。
【００３４】
尚、本発明におけるｐＨ値は、油性ボールペン用インキ組成物の測定方法においては、油性インキを容器に採取し、イオン交換水を加えて、攪拌しながら加温し、加温後放冷し、蒸発した水分量を補充後、濾紙を用いて濾過する。その濾過したろ液の上層を用いて、ｐＨ測定は東亜ディーケーケー社製IＭ−４０Ｓ型ｐＨメーターを用いて、２０℃にて測定した値を示すものである。 
【００３５】
本発明に用いる有機溶剤としては、エチレングリコールモノメチルエーテル、エチレングリコールモノエチルエーテル、エチレングリコールモノブチルエーテル、エチレングリコールジメチルエーテル、エチレングリコールモノフェニルエーテル、プロピレングリコールモノメチルエーテル、プロピレングリコールモノエチルエーテル、ジエチレングリコールジメチルエーテル、３―メトキシブタノール、３―メトキシー３―メチルブタノール等のグリコールエーテル系、ジエチレングリコール、トリエチレングリコール、ポリエチレングリコール、プロピレングリコール、ジプロピレングリコール、ブチレングリコール、エチレングリコール等のグリコール系、ベンジルアルコール、メタノール、エタノール、１−プロパノール、２−プロパノール、イソプロパノール、イソブタノール、ｔ−ブタノール、プロパギルアルコール、アリルアルコール、３−メチル−１−ブチン−３−オール、エチレングリコールモノメチルエーテルアセタートやその他の高級アルコール等のアルコール系など、油性ボールペン用インキとして一般的に用いられる溶剤が例示できる。これらの中でも、アルキルベンゼンスルホン酸と塩基性染料との造塩染料との溶解安定性や、カーボンブラックとのインキ経時安定性を考慮すれば、少なくともアルコール系溶剤を用いる方が好ましい。さらに、ベンジルアルコールなどの芳香族アルコ−ルは、潤滑性を向上する効果もあるため、少なくとも用いる方が最も好ましい。これらの有機溶剤は、を１種又は２種以上用いることができる。溶剤の含有量は、着色剤の溶解性、筆跡乾燥性、にじみ等を考慮すると、インキ組成物全量に対し、１０．０〜７０．０質量％が好ましく、よりその傾向を考慮すれば、３０．０〜６５．０質量％が好ましく、最も好ましくは、４５．０〜６５．０質量％である。
【００３６】
さらに、本発明の油性ボールペン用インキに、エチレンオキサイド (CH2CH2O)を有する有機アミンをさらに併用すると、より潤滑効果が得られ易い。そのため、エチレンオキサイド (CH2CH2O)を有するオキシエチレンアルキルアミン、ポリオキシエチレンアルキルアミンを用いる方が好ましい。これ等は、単独又は２種以上混合して使用してもよい。
【００３７】
オキシエチレンアルキルアミン、ポリオキシエチレンアルキルアミンとしては、具体的には、ナイミーンＬ−２０１、ナイミーンＬ−２０２、同Ｌ−２０７、同Ｓ−２０２、同Ｓ−２０４、同Ｓ−２１０、同Ｔ2 -２０６、同Ｓ−２１０、同ＤＴ−２０３、同ＤＴ−２０８、ナイミーンＬ−２０７、同Ｔ2 -２０６、同ＤＴ−２０８（日本油脂（株）社製）等が挙げられる。前記オキシエチレンアルキルアミン、ポリオキシエチレンアルキルアミンの含有量は、潤滑性や経時安定性を考慮すると、インキ組成物全量に対し、０．１〜１０．０質量％が好ましく、より好ましくは、１．０〜５．０質量％である。
【００３８】
また、その他の着色剤としては、前述したアルキルベンゼンスルホン酸と塩基性染料との造塩染料や、カーボンブラック以外に、油溶性染料、酸性染料、塩基性染料、含金染料などや、それらの各種造塩タイプの染料等や、アニリンブラック、群青、黄鉛、酸化チタン、酸化鉄、フタロシアニン系、キナクリドン系、 DPP系、ペリノン系、ペリレン系、ギオキサジン系、メタリック顔料、パール顔料、蛍光顔料、蓄光顔料等の顔料を採用しても良い。これらの着色剤は、単独又は２種以上組み合わせて使用してもかまわない。 
【００３９】
また、その他として、潤滑性やインキ経時安定性を向上させるために、界面活性剤として、リン酸エステル系界面活性剤、フッ素系界面活性剤、シリコン系界面活性剤、脂肪酸アルカノールアミド、陰イオン性界面活性剤、陽イオン性界面活性剤、両性界面活性剤や、陰イオン性界面活性剤および／または陽イオン性界面活性剤の造塩体を、粘度調整剤として、ケトン樹脂、テルペン樹脂、アルキッド樹脂、フェノキシ樹脂、ポリ酢酸ビニル等の樹脂や脂肪酸アマイド、水添ヒマシ油などの擬塑性付与剤を、また、着色剤安定剤、可塑剤、キレート剤、水などを適宜用いても良い。これらは、単独又は２種以上組み合わせて使用してもかまわない。
【００４０】
本発明の油性ボールペン用インキ組成物をボールペンレフィルで用いる場合、その構造は、特に限定されないが、チップ本体に、ボール抱持室と、該ボール抱持室の底壁の中央に形成したインキ流通孔と、該インキ流通孔から放射状に延びる複数本のインキ流通溝とを有し、チップ先端部を内側にかしめることにより、ボールの一部をチップ先端縁より突出させて回転自在に抱持してなるボールペンチップを、インキ収容筒の先端に直接、またはチップホルダーを介して装着し、前記インキ収容筒内に、前記アルキルベンゼンスルホン酸と塩基性染料との造塩染料顔料を併用する油性ボールペン用インキ組成物を直に収容してなる油性ボールペンレフィルとして用いることができる。前記ボールペンチップの構造も特に限定されるものではないが、より書き味やチップ本体の摩耗を抑制することを考慮すれば、前記ボール抱持室の底壁に、前記ボールと異なる曲率の略円弧面状の当接面を設け、前記ボールが当接面に当接するとともに、前記ボールと当接面間に、インキ流通孔側から前記ボールと当接面との当接部まで、インキ流通孔側から除々に小さくなる第１の隙間及びボール抱持室側から前記ボールと当接面との当接部まで、インキ流通孔側から除々に小さくなる第２の隙間を形成することが好ましい。
【００４１】
これは、前記ボールと当接面間に、インキ流通孔側から前記ボールと当接面との当接部まで、インキ流通孔側から除々に小さくなる第１の隙間及びボール抱持室側から前記ボールと当接面との当接部まで、インキ流通孔側から除々に小さくなる第２の隙間を形成することで、ボールと当接面間を流体潤滑又は混合潤滑にしやすく、当接面の摩耗を抑制し、書き味を向上しやすいためである。
【００４２】
さらに、ボールと当接面の関係について詳述すると、ボールの回転による本発明の油性ボールペン用インキ組成物の潤滑状態は、ボールが回転すると、それにつられて油性ボールペン用インキ組成物が、インキ流通孔から前記ボールと当接面との狭い隙間へと引きずり込まれ、ボールと当接面間にボールペン用インキの層を形成し、このインキの層によって、圧力が発生しボールを浮かせる力が発生するくさび効果が得られるため底壁の摩耗を抑制しやすいと推測する。特に、本発明のように前記アルキルベンゼンスルホン酸と塩基性染料との造塩染料とカーボンブラックを併用する油性インキ組成物では、前記造塩染料のフェニルスルホン基やフェニル基とカーボンブラック粒子との相互作用で形成する弾力性のある潤滑膜層によって、よりくさび効果が得られやすいため底壁の摩耗を抑制には、効果的であると推測する。
【００４３】
また、ボールの回転による、インキ流通孔からの油性ボールペン用インキ組成物の潤滑状態は前述の通りであり、ボールが回転すると、それにつられて油性ボールペン用インキ組成物がボールと当接面との狭い隙間へと引きずり込まれるが、筆記時には、インキ流通孔側からの当接面に供給される油性ボールペン用インキ組成物と、紙面に突出できなかった油性ボールペン用インキ組成物が、ボール抱持室から当接面に戻される傾向がある。そのため、前記第１の隙間及び前記第２の隙間を形成することで、相乗効果的に、書き味や及び耐摩耗性が向上しやすくすることができる。
【００４４】
前記当接面の形状は、前記ボールと当接面間に、前記第１の隙間及び第２の隙間を形成するために、ボールの曲率と異なる曲率とすることが好ましい。また、第１の隙間は、インキ流通孔側の距離が小さい程、前述したくさび効果が高まる傾向があるので、インキ流通孔側の隙間を小さくすることが好ましい。具体的には、軸心方向の長さで、インキ流通孔側の距離が５μｍを超えると、くさび効果が得られ難いため、５μｍ以下が好ましく、さらに好ましくは、０．００１μｍ〜３μｍ、０．００１μｍ〜１μｍとすることが最も好ましい。また、当接面を予め略円弧面状とし、前記第１の隙間が、インキ流通孔側から前記当接部まで、除々に小さくすることで、前記したボールの当接部近傍で、高いくさび効果、ボールを浮かせる力が大きくなり、当接面の摩耗を効果的に抑制することができ、当接面が摩耗しても急激な摩耗を抑制し、隙間関係を維持し易くすることができる。
【００４５】
次にアルキルベンゼンスルホン酸と塩基性染料との造塩染料の作成方法を説明する。
配合例１ 
まず、ビーカーに水を１０００ｇ、塩基性染料（Basic  Red１）を３０ｇ秤量し、加温した後、ディスパー攪拌機を用いて溶解させた後、アルキルベンゼンスルホン酸６０ｇを秤量し、攪拌後、濾紙を用い濾過を行って、濾紙上の残渣を乾燥させ造塩染料を得た。
【００４６】
次に、実施例を示して本発明を説明する。 
実施例１の油性ボールペン用インキ組成物は、有機溶剤、顔料分散剤を５０℃にて混合攪拌機を用い顔料分散樹脂を溶解させて溶液Ａを製造した。得られた溶液Ａにカーボンブラックを添加し、三本ロールを用いて分散ベースを作成する。この分散ベースに残りの成分を、５０℃にて混合攪拌機を用いて攪拌して油性ボールペン用インキ組成物を得た。具体的な配合量は下記の通りである。尚、ティー・エイ・インスツルメント株式会社製AR-G2（ステンレス製 40mm  2°ローター）を用いて２０℃の環境下で、剪断速度５００ｓｅｃ−１にてインキ粘度を測定したところ、７９０ｍＰａ・ｓであった。また、ｐＨ値を測定したところ、ｐＨ＝７．５であった。
【００４７】
実施例１ 
配合例 １の造塩染料                          ７．０質量％ 
配合例 ２の造塩染料                        １０．０質量％ 
配合例 ３の造塩染料                        １３．０質量％ 
顔料（塩基性カーボンブラック）               ５．０質量％ 
顔料分散剤（ポリビニルブチラール）           ２．５質量％ 
有機溶剤（ベンジルアルコール）             ５４．１質量％ 
安定剤（ポリオキシエチレンアルキルアミン）   １．０質量％ 
安定剤（オレイン酸）                         １．０質量％ 
曳糸性付与材（ポリビニルピロリドン）         ０．４質量％ 
樹脂（ケトン樹脂）                           ６．０質量％ 
【００４８】
配合例２〜７
表１に示すように、各成分を変更した以外は、配合例１、配合例２と同様な方法で配合例２〜７の造塩染料を作成し、実施例と比較例に用いた。
【表１】
0006010323.tif 000002
【００４９】
実施例２〜５ 
表２に示すように、各成分を変更した以外は、実施例１と同様な手順で実施例２〜５の油性ボールペン用インキ組成物を得た。 
実施例６
表２に示すように、各成分を変更した以外は、水以外の各成分を実施例１と同様な手順で行い、室温冷却後水を添加しディスパー攪拌にて油性ボールペン用インキ組成物を得た。 
【表２】
0006010323.tif 000003
【００５０】
比較例１〜４ 
表３に示すように、各成分を変更した以外は、実施例１と同様の手順で、配合し、比較例１〜４の油性ボールペン用インキ組成物を得た。表３に測定、評価結果を示す。
【表３】
0006010323.tif 000004
【００５１】
試験及び評価 
実施例１〜６及び比較例１〜４で作製した油性ボールペン用インキ組成物２４（０．４g）及びグリース状のインキ追従体２５を、インキ収容筒２２（ポリプロピレン）に、ボール径がφ０．７ｍｍのボール９を回転自在に抱持したボールペン用チップ１（ステンレス綱線）を装着したボールペン用レフィル２１に充填し、油性ボールペンを作製した。筆記試験用紙として筆記用紙ＪＩＳ  Ｐ３２０１を用いて以下の試験及び評価を行った。
【００５２】
本発明においてボールペンチップ１は図１、２に示したような構成のものを用いることができる。図１、２のボールペンチップは、ステンレス鋼線材からなるチップ本体２のボール抱持室３の中央にインキ流通孔７と、このインキ流通孔７から放射状に延び、チップ後部孔８に達しないインキ流通溝６を形成した底壁４に、ボール９と異なる曲率の略円弧面状の当接面５を設け、この当接面５にφ０．５ｍｍのタングステンカーバイド製のボール９を載置し、チップ先端部２ａを内側にかしめることにより、ボール９の一部がチップ先端縁より突出するように回転自在に抱持したものである。
【００５３】
このようなボールペンチップ１は、以下のように製造される。すなわち、例えばφ２．３ｍｍで硬度が２３０Ｈｖ〜２８０Ｈｖのステンレス鋼線材が所望の長さに切断され、ボール抱持室３、インキ流通孔７、及び、当該インキ流通孔７から放射状に伸びるインキ流通溝６、が作製される。その後、ボール抱持室３の底壁４にボール９を載置した状態でチップ先端部２ａ側からハンマーリングが行われ、スプリングバック性によってボール９より曲率半径の大きい曲面が形成された後、チップ先端部２ａが内側へかしめられる。これにより、ボール９と異なる曲率の曲面状の当接面５が形成され、ボール９は当接面５の軸心方向の中央位置よりもチップ先端部２ａ側で軸心回りの周回線上の当接部５ａにおいて当接する。これにより、ボール９と当接面５との間に、第１の隙間Ｓ１及び第２の隙間Ｓ２が形成される。
【００５４】
この第１の隙間Ｓ１と第２の隙間Ｓ２とが形成されていることにより、ボール９と当接面５（当接部５ａ）との間を流体潤滑又は混合潤滑の状態に維持しやすい。このため、当接面（当接部）の摩耗が抑制される。なお、本実施例においては、第１の隙間Ｓ１のインキ流通孔７側の軸心方向における開口の長さＨは、０．９μｍである（図２参照）。
【００５５】
試験及び評価 
実施例１〜６及び比較例１〜４で作製した油性ボールペン用インキを、実施例１のボールペンレフィルに充填し、筆記試験用紙として筆記用紙ＪＩＳ  Ｐ３２０１を用いて以下の試験及び評価を行った。 
【００５６】
書き味：手書きによる官能試験を行い評価した。 
非常に滑らかなもの     ・・・◎ 
滑らかなもの           ・・・○ 
やや重いもの           ・・・△ 
重いもの               ・・・× 
【００５７】
耐摩耗試験：荷重２００gf、筆記角度７０°、４ｍ／ｍｉｎの走行試験機にて筆記試験後のボール座の摩耗を測定した。
ボール座の摩耗が２μｍ未満であり、筆記可能なもの                  ・・・◎
ボール座の摩耗が２μｍ以上、５μｍ未満であり、筆記可能なもの      ・・・○
ボール座の摩耗が５μｍ以上、１０μｍ未満であり、筆記不良になってしまうもの・・・△
ボール座の摩耗が１０μｍ以上であり、筆記不能になってしまうもの    ・・・×
【００５８】
インキ消費量試験：温度２０℃、湿度６５％ＲＴの環境下、荷重２００ｇｆ、筆記角度７０°、４ｍ／ｍｉｎの走行試験機にて筆記試験を行い、０〜１００ｍ（A）及び筆記終了前１００ｍのインキ消費量（B）を測定した。
０．９≦Ａ／Ｂ≦１．１５のもの                                    ・・・◎ 
０．８≦Ａ／Ｂ＜０．９、または、１．１５≦Ａ／Ｂ＜１．２のもの    ・・・○ 
Ａ／Ｂ＜０．８０、または、Ａ／Ｂ＞１．２０のもの                  ・・・× 
【００５９】
顔料分散性試験：５０℃、湿度８０％、２ヶ月経過後に光学顕微鏡（オリンパス社製）倍率１００倍にてインキ組成物の顔料分散性を観察した。
均一に顔料分散していたもの                 ・・・◎ 
ほぼ均一に顔料分散していたもの             ・・・○ 
顔料凝集が、みられたが実用上問題のないもの ・・・△ 
顔料凝集していたもの                       ・・・× 
【００６０】
インキ経時試験：チップ本体内のインキを顕微鏡観察した。 
析出物がなく、良好のもの                              ・・・◎ 
析出物が微少に発生したもの                            ・・・○ 
析出物が発生したが、実用上問題のないもの              ・・・△ 
析出物が発生し、カスレや筆記不良などの原因になるもの  ・・・× 
【００６１】
実施例１〜６では、インキ経時試験、書き味、耐摩耗試験、インキ消費量試験、顔料分散性試験ともに良好であり、筆記性能が良好であった。
【００６２】
比較例１では、染料同士の造塩染料を用いているため、顔料安定性が得られず、書き味が重く、耐摩耗試験において、すべてボール座の摩耗がひどかった。また、インキ消費量試験において、インキ消費量の減少が見られ、筆跡が薄くなりカスレが発生した。
【００６３】
比較例２では、造塩していない酸性染料を単独で用いているため、顔料分散安定性が得られず、書き味が劣り、耐摩耗試験において、すべてボール座の摩耗がひどかった。また、インキ消費量試験において、インキ消費量の減少が見られ、筆跡が薄くなりカスレが発生した。
【００６４】
比較例３では、顔料を用いていないため、耐摩耗試験において、ボール座摩耗がひどく、インキ消費量試験において、インキ消費量の増加が見られ、擦過性などの筆記性能が劣った。
【００６５】
比較例４では、インキ粘度が高く書き味が劣った。
【００６６】
本発明では 、ボールの表面及び／又は当接面の表面に潤滑被膜層を設けることで、潤滑被膜層と前記したインキ層による流体潤滑又は混合潤滑との相乗効果によって、ボールとチップ内壁との接触抵抗を著しく軽減しやすく、当接面の耐摩耗性及び筆感を著しく向上しやすくなるため、好ましい。 
【００６７】
尚、本発明に用いる潤滑被膜層としては、ダイヤモンドライクカーボン（ＤＬＣ）、二硫化タングステン（ＷＳ２）、二硫化モリブデン（ＭｏＳ２）やグラファイト、四フッ化エチレン（ＰＴＦＥ）等の含フッ素高分子、シリコーン樹脂等、従来から知られている固体潤滑剤などを適宜用いることができる。また、潤滑被膜層を被覆する方法は、特に制限されず、真空蒸着、イオン蒸着、物理的蒸着、化学的蒸着、真空アーク蒸着などが挙げられ、直接又は前記した潤滑剤を含有した被膜層であってもよい。特に前記した潤滑剤の中でも、耐摩耗性及び潤滑性を考慮してダイヤモンドライクカーボン（ＤＬＣ）を用いることが最も好ましい。
【００６８】
本発明のように、書き味を向上するために、２０℃、剪断速度５００ｓｅｃ−１におけるインキ粘度を、５０００ｍＰａ・ｓ以下の範囲に設定する場合には、インキの垂れ下がりを防止するため、ボールペンチップ先端に回転自在に抱持したボールを、コイルスプリングにより直接又は押圧体を介してチップ先端縁の内壁に押圧して、筆記時の押圧力によりチップ先端縁の内壁とボールに間隙を与えインキを流出させる弁機構を具備し、チップ先端の微少な間隙も非使用時に閉鎖することが好ましい。
【産業上の利用可能性】
【００６９】
本発明は油性ボールペンとして利用でき、さらに詳細としては、該油性ボールペン用インキ組成物を充填した、キャップ式、ノック式等の水性ボールペンとして広く利用することができる。 
【符号の説明】
【００７０】
１  ボールペンチップ
２  チップ本体
２ａ  先端部
２ｂ  シール面
３  ボール抱持室
４  底壁
５  当接面
５ａ  当接部
６  インキ流通溝
７  インキ流通孔
８  後部孔
９  ボール
２１  ボールペンレフィル
２２  インキ収容筒
２３  コイルスプリング
２４  ボールペン用インキ
２５  インキ追従体
Ｓ１、Ｓ２  隙間
【図１】
0006010323.tif 000005
【図２】
0006010323.tif 000006
【図３】
0006010323.tif 000007